(57)【要約】【課題】ユーザ携帯端末が店舗端末から近距離無線通信により広告情報を取得するとともに、ユーザ携帯端末において過去の購入履歴と連携した広告情報管理を行う。【解決手段】ユーザ携帯端末１０は店舗端末２０に顧客コードを送信して商品購入情報および広告情報を要求し、店舗端末２０は顧客コードを店舗サーバ３０に送信して広告情報を要求し、店舗サーバ３０は顧客コード対応に登録された通知希望商品情報を基に広告情報を抽出して店舗端末２０に送信し、店舗端末２０は受信した広告情報を生成した商品購入情報とともにユーザ携帯端末１０に送信し、ユーザ携帯端末１０は商品購入情報をデータベースに蓄積し、広告情報に含まれる商品情報に対応し少なくとも価格情報を含む商品購入情報を前記データベースから抽出して広告情報とともに表示し、広告情報をスケジュール登録し通知日時になると報知する。【選択図】      図１
2007115128.tif 000002
【特許請求の範囲】
【請求項１】
ユーザ携帯端末と、店舗端末と、店舗サーバとを含む広告情報取得・管理システムであって、
前記ユーザ携帯端末は、商品購入情報が予め蓄積された商品購入情報データベースと、前記店舗サーバに顧客コードを送信し通知希望商品情報を登録要求する手段と、前記店舗端末に近距離通信により顧客コードを送信し広告情報を要求する手段と、前記店舗端末から受信した広告情報に含まれる通知希望商品情報に対応し、少なくとも価格情報を含む商品購入情報を前記商品購入情報データベースから抽出して広告情報とともに表示する手段とを有し、
前記店舗端末は、前記ユーザ携帯端末から受信した顧客コードを前記店舗サーバに送信し広告情報を要求する手段と、前記店舗サーバから受信した広告情報を近距離通信により前記ユーザ携帯端末に送信する手段とを有し、
前記店舗サーバは、前記ユーザ携帯端末から受信した顧客コード対応に通知希望商品情報を登録する手段と、前記店舗端末からの顧客コード受信時に、顧客コード対応に登録された通知希望商品情報を取得する手段と、取得した通知希望商品情報に対応して予め登録されている広告情報を抽出し前記店舗端末に送信する手段とを有することを特徴とする広告情報取得・管理システム。
【請求項２】
前記店舗端末は広告情報を前記ユーザ携帯端末に送信するときに顧客コードを併せて送信し、前記ユーザ携帯端末は受信した顧客コードが自端末のものであるかを照合し、自端末の顧客コードであった場合に広告情報を受信，記憶することを特徴とする請求項１記載の広告情報取得・管理システム。
【請求項３】
ユーザ携帯端末と、店舗端末と、店舗サーバとを含む広告情報取得・管理システムであって、
前記ユーザ携帯端末は、商品購入情報が蓄積される商品購入情報データベースと、前記店舗サーバに顧客コードを送信し通知希望商品情報を登録要求する手段と、前記店舗端末に近距離通信により顧客コードを送信し商品購入情報および広告情報を要求する手段と、前記店舗端末から受信した商品購入情報を前記商品購入情報データベースに蓄積する手段と、広告情報に含まれる通知希望商品情報に対応し少なくとも価格情報を含む商品購入情報を前記商品購入情報データベースから抽出して広告情報とともに表示する手段とを有し、
前記店舗端末は、前記ユーザ携帯端末から受信した顧客コードを前記店舗サーバに送信し広告情報を要求する手段と、商品の精算処理を行い商品購入情報を生成する手段と、前記店舗サーバから広告情報を受信したときに、商品購入情報と広告情報を近距離通信により前記ユーザ携帯端末に送信する手段とを有し、
前記店舗サーバは、前記ユーザ携帯端末から受信した顧客コード対応に通知希望商品情報を登録する手段と、前記店舗端末からの顧客コード受信時に、顧客コード対応に登録された通知希望商品情報を取得する手段と、取得した通知希望商品情報に対応して予め登録されている広告情報を抽出し前記店舗端末に送信する手段とを有することを特徴とする広告情報取得・管理システム。
【請求項４】
前記店舗端末は商品購入情報，広告情報を前記ユーザ携帯端末に送信するときに顧客コードを併せて送信し、前記ユーザ携帯端末は受信した顧客コードが自端末のものであるかを照合し、自端末の顧客コードであった場合に商品購入情報，広告情報を受信，記憶することを特徴とする請求項３記載の広告情報取得・管理システム。
【請求項５】
前記ユーザ携帯端末は、ユーザからの要求に応じて広告情報をスケジュール登録し通知日時になると報知する手段を、さらに有することを特徴とする請求項１〜４のいずれか１項記載の広告情報取得・管理システム。
【請求項６】
前記ユーザ携帯端末は、広告情報に含まれる商品の価格Ａと前記商品購入情報データベースから抽出した同一商品の価格Ｂとを比較し、価格Ａが価格Ｂ以下であった場合に広告情報をスケジュール登録し通知日時になると報知する手段を、さらに有することを特徴とする請求項１〜４のいずれか１項記載の広告情報取得・管理システム。
【請求項７】
店舗端末と、店舗サーバとに接続されるユーザ携帯端末であって、
商品購入情報が予め蓄積された商品購入情報データベースと、前記店舗サーバに顧客コードを送信し通知希望商品情報を登録要求する手段と、前記店舗端末に近距離通信により顧客コードを送信し広告情報を要求する手段と、前記店舗端末から近距離通信により受信した広告情報に含まれる通知希望商品情報に対応し、少なくとも価格情報を含む商品購入情報を前記商品購入情報データベースから抽出して広告情報とともに表示する手段とを有することを特徴とするユーザ携帯端末。
【請求項８】
前記店舗端末から広告情報とともに顧客コードを併せて受信し、受信した顧客コードが自端末のものであるかを照合し、自端末の顧客コードであった場合に広告情報を受信，記憶することを特徴とする請求項７記載のユーザ携帯端末。
【請求項９】
店舗端末と、店舗サーバとに接続されるユーザ携帯端末であって、
商品購入情報が蓄積される商品購入情報データベースと、前記店舗サーバに顧客コードを送信し通知希望商品情報を登録要求する手段と、前記店舗端末に近距離通信により顧客コードを送信し商品購入情報および広告情報を要求する手段と、前記店舗端末から近距離通信により受信した商品購入情報を前記商品購入情報データベースに蓄積する手段と、広告情報に含まれる通知希望商品情報に対応し少なくとも価格情報を含む商品購入情報を前記商品購入情報データベースから抽出して広告情報とともに表示する手段とを有することを特徴とするユーザ携帯端末。
【請求項１０】
前記店舗端末から商品購入情報，広告情報とともに顧客コードを併せて受信し、受信した顧客コードが自端末のものであるかを照合し、自端末の顧客コードであった場合に商品購入情報，広告情報を受信，記憶することを特徴とする請求項９記載のユーザ携帯端末。
【請求項１１】
ユーザからの要求に応じて広告情報をスケジュール登録し通知日時になると報知する手段を、さらに有することを特徴とする請求項７〜１０のいずれか１項記載のユーザ携帯端末。
【請求項１２】
広告情報に含まれる商品の価格Ａと前記商品購入情報データベースから抽出した同一商品の価格Ｂとを比較し、価格Ａが価格Ｂ以下であった場合に広告情報をスケジュール登録し通知日時になると報知する手段を、さらに有することを特徴とする請求項７〜１０のいずれか１項記載のユーザ携帯端末。
【請求項１３】
ユーザ携帯端末と、店舗端末と、店舗サーバとを用いた広告情報取得・管理方法であって、
前記ユーザ携帯端末が商品購入情報をデータベースに登録するステップと、前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が前記店舗サーバから受信した広告情報を前記ユーザ携帯端末に送信するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末がユーザからの要求に応じて広告情報をスケジュール登録し通知日時になると報知するステップとを有することを特徴とする広告情報取得・管理方法。
【請求項１４】
ユーザ携帯端末と、店舗端末と、店舗サーバとを用いた広告情報取得・管理方法であって、
前記ユーザ携帯端末が商品購入情報をデータベースに登録するステップと、前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が前記店舗サーバから受信した広告情報を前記ユーザ携帯端末に送信するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末が広告情報に含まれる商品の価格Ａと前記データベースから抽出した同一商品の価格Ｂとを比較し、価格Ａが価格Ｂ以下であった場合に広告情報をスケジュール登録し通知日時になると報知するステップとを有することを特徴とする広告情報取得・管理方法。
【請求項１５】
ユーザ携帯端末と、店舗端末と、店舗サーバとを用いた広告情報取得・管理方法であって、
前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し商品購入情報および広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が商品の精算処理を行い商品購入情報を生成するステップと、前記店舗サーバから広告情報を受信したときに、前記店舗端末が商品購入情報と広告情報を前記ユーザ携帯端末に送信するステップと、前記ユーザ携帯端末が受信した商品購入情報をデータベースに蓄積するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末がユーザからの要求に応じて広告情報をスケジュール登録し通知日時になると報知するステップとを有することを特徴とする広告情報取得・管理方法。
【請求項１６】
ユーザ携帯端末と、店舗端末と、店舗サーバとを用いた広告情報取得・管理方法であって、
前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し商品購入情報および広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が商品の精算処理を行い商品購入情報を生成するステップと、前記店舗サーバから広告情報を受信したときに、前記店舗端末が商品購入情報と広告情報を前記ユーザ携帯端末に送信するステップと、前記ユーザ携帯端末が受信した商品購入情報をデータベースに蓄積するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末が広告情報に含まれる商品の価格Ａと前記データベースから抽出した同一商品の価格Ｂとを比較し、価格Ａが価格Ｂ以下であった場合に広告情報をスケジュール登録し通知日時になると報知するステップとを有することを特徴とする広告情報取得・管理方法。
【請求項１７】
商品購入情報をデータベースに登録する機能、第１の外部装置に顧客コードを送信し通知希望商品情報を登録要求する機能、第２の外部装置に顧客コードを送信し広告情報を要求する機能、前記第２の外部装置から受信した広告情報に含まれる通知希望商品情報に対応し、少なくとも価格情報を含む商品購入情報を前記データベースから抽出して広告情報とともに表示する機能、広告情報をスケジュール登録し通知日時になると報知する機能、をコンピュータに実現させるためのプログラム。
【請求項１８】
第１の外部装置に顧客コードを送信し通知希望商品情報を登録要求する機能、第２の外部装置に顧客コードを送信し商品購入情報および広告情報を要求する機能、前記第２の外部装置から受信した商品購入情報をデータベースに蓄積する機能、前記第２の外部装置から受信した広告情報に含まれる通知希望商品情報に対応し、少なくとも価格情報を含む商品購入情報を前記データベースから抽出して広告情報とともに表示する機能、広告情報をスケジュール登録し通知日時になると報知する機能、をコンピュータに実現させるためのプログラム。
【発明の詳細な説明】
【技術分野】
【０００１】
本発明は、広告情報取得・管理システム，方法，ユーザ携帯端末およびプログラムに関する。
【背景技術】
【０００２】
従来、店舗における商品購入時の購入明細情報や広告情報を取得するためには、例えば、ユーザ端末から希望する店舗のＷｅｂサイトにアクセスし、取得したい情報を探して閲覧，取得していた。しかし、この方法においては、自分で店舗サイトにアクセスしたり店舗サイト内で希望する情報を探したりする手間がかかるとともに、通信料金の負担も発生する。また、店舗サイトを開設していない店舗の場合は情報を取得することができないという問題や、来店して商品を購入した顧客にだけ特別な広告情報を提供するような店舗については、特別な広告情報の取得ができないという問題がある。
【０００３】
以上のような問題に対応するためには、移動体通信網や公衆ネットワークを使用せず、店舗においてユーザ端末，店舗端末間で情報授受を行うことが考えられる。このような店舗におけるユーザ端末，店舗端末間通信の一例が特開２００３−５１０７０号公報（特許文献１）に記載されている。この特許文献１においては、
・店舗のレジスタ装置は、商品精算後に商品購入明細情報と購入商品対応に登録された商品情報（購入商品の製造メーカ，原材料等の詳細情報）とをユーザ携帯端末に送信し、
・ユーザはユーザ携帯端末が受信，記憶した商品購入明細情報を家計簿ソフトに入力することが記載されている。
【０００４】
【特許文献１】特開２００３−５１０７０号公報（段落「００１９」〜「００２２」、図１）
【発明の開示】
【発明が解決しようとする課題】
【０００５】
上述した特許文献１においては、購入明細情報と購入商品対応の商品情報はユーザ携帯端末に送信されるが、その店舗のバーゲンセール情報等の広告情報の配信については記載されていない。また、購入明細情報は家計簿ソフトに入力されて家計簿作成に利用され、商品情報はユーザ参照用に表示されるだけであり、これら購入明細情報と商品情報との連携による管理については何ら考慮されていない。このため、仮に商品情報を広告情報に置き換えたとしても、購入明細情報と連携した広告情報の管理も同様に考慮されない。
【０００６】
本発明の目的は、広告情報と購入明細情報とを関連付けることにより上述した課題を解決する広告情報取得・管理システム，方法，ユーザ携帯端末およびプログラムを提供することにある。
【課題を解決するための手段】
【０００７】
本発明の第１の広告情報取得・管理システムは、ユーザ携帯端末と、店舗端末と、店舗サーバとを含む広告情報取得・管理システムであって、
前記ユーザ携帯端末は、商品購入情報が予め蓄積された商品購入情報データベースと、前記店舗サーバに顧客コードを送信し通知希望商品情報を登録要求する手段と、前記店舗端末に近距離通信により顧客コードを送信し広告情報を要求する手段と、前記店舗端末から受信した広告情報に含まれる通知希望商品情報に対応し、少なくとも価格情報を含む商品購入情報を前記商品購入情報データベースから抽出して広告情報とともに表示する手段とを有し、
前記店舗端末は、前記ユーザ携帯端末から受信した顧客コードを前記店舗サーバに送信し広告情報を要求する手段と、前記店舗サーバから受信した広告情報を近距離通信により前記ユーザ携帯端末に送信する手段とを有し、
前記店舗サーバは、前記ユーザ携帯端末から受信した顧客コード対応に通知希望商品情報を登録する手段と、前記店舗端末からの顧客コード受信時に、顧客コード対応に登録された通知希望商品情報を取得する手段と、取得した通知希望商品情報に対応して予め登録されている広告情報を抽出し前記店舗端末に送信する手段とを有する。
【０００８】
本発明の第２の広告情報取得・管理システムは、本発明の第１の広告情報取得・管理システムにおいて、前記店舗端末は広告情報を前記ユーザ携帯端末に送信するときに顧客コードを併せて送信し、前記ユーザ携帯端末は受信した顧客コードが自端末のものであるかを照合し、自端末の顧客コードであった場合に広告情報を受信，記憶することを特徴とする。
【０００９】
本発明の第３の広告情報取得・管理システムは、ユーザ携帯端末と、店舗端末と、店舗サーバとを含む広告情報取得・管理システムであって、
前記ユーザ携帯端末は、商品購入情報が蓄積される商品購入情報データベースと、前記店舗サーバに顧客コードを送信し通知希望商品情報を登録要求する手段と、前記店舗端末に近距離通信により顧客コードを送信し商品購入情報および広告情報を要求する手段と、前記店舗端末から受信した商品購入情報を前記商品購入情報データベースに蓄積する手段と、広告情報に含まれる通知希望商品情報に対応し少なくとも価格情報を含む商品購入情報を前記商品購入情報データベースから抽出して広告情報とともに表示する手段とを有し、
前記店舗端末は、前記ユーザ携帯端末から受信した顧客コードを前記店舗サーバに送信し広告情報を要求する手段と、商品の精算処理を行い商品購入情報を生成する手段と、前記店舗サーバから広告情報を受信したときに、商品購入情報と広告情報を近距離通信により前記ユーザ携帯端末に送信する手段とを有し、
前記店舗サーバは、前記ユーザ携帯端末から受信した顧客コード対応に通知希望商品情報を登録する手段と、前記店舗端末からの顧客コード受信時に、顧客コード対応に登録された通知希望商品情報を取得する手段と、取得した通知希望商品情報に対応して予め登録されている広告情報を抽出し前記店舗端末に送信する手段とを有する。
【００１０】
本発明の第４の広告情報取得・管理システムは、本発明の第３の広告情報取得・管理システムにおいて、前記店舗端末は商品購入情報，広告情報を前記ユーザ携帯端末に送信するときに顧客コードを併せて送信し、前記ユーザ携帯端末は受信した顧客コードが自端末のものであるかを照合し、自端末の顧客コードであった場合に商品購入情報，広告情報を受信，記憶することを特徴とする。
【００１１】
本発明の第５の広告情報取得・管理システムは、本発明の第１〜第４のいずれかの広告情報取得・管理システムにおいて、前記ユーザ携帯端末は、ユーザからの要求に応じて広告情報をスケジュール登録し通知日時になると報知する手段を、さらに有する。
【００１２】
本発明の第６の広告情報取得・管理システムは、本発明の第１〜第４のいずれかの広告情報取得・管理システムにおいて、前記ユーザ携帯端末は、広告情報に含まれる商品の価格Ａと前記商品購入情報データベースから抽出した同一商品の価格Ｂとを比較し、価格Ａが価格Ｂ以下であった場合に広告情報をスケジュール登録し通知日時になると報知する手段を、さらに有する。
【００１３】
本発明の第１のユーザ携帯端末は、店舗端末と、店舗サーバとに接続されるユーザ携帯端末であって、
商品購入情報が予め蓄積された商品購入情報データベースと、前記店舗サーバに顧客コードを送信し通知希望商品情報を登録要求する手段と、前記店舗端末に近距離通信により顧客コードを送信し広告情報を要求する手段と、前記店舗端末から近距離通信により受信した広告情報に含まれる通知希望商品情報に対応し、少なくとも価格情報を含む商品購入情報を前記商品購入情報データベースから抽出して広告情報とともに表示する手段とを有する。
【００１４】
本発明の第２のユーザ携帯端末は、本発明の第１のユーザ携帯端末において、前記店舗端末から広告情報とともに顧客コードを併せて受信し、受信した顧客コードが自端末のものであるかを照合し、自端末の顧客コードであった場合に広告情報を受信，記憶することを特徴とする。
【００１５】
本発明の第３のユーザ携帯端末は、店舗端末と、店舗サーバとに接続されるユーザ携帯端末であって、
商品購入情報が蓄積される商品購入情報データベースと、前記店舗サーバに顧客コードを送信し通知希望商品情報を登録要求する手段と、前記店舗端末に近距離通信により顧客コードを送信し商品購入情報および広告情報を要求する手段と、前記店舗端末から近距離通信により受信した商品購入情報を前記商品購入情報データベースに蓄積する手段と、広告情報に含まれる通知希望商品情報に対応し少なくとも価格情報を含む商品購入情報を前記商品購入情報データベースから抽出して広告情報とともに表示する手段とを有する。
【００１６】
本発明の第４のユーザ携帯端末は、本発明の第３のユーザ携帯端末において、前記店舗端末から商品購入情報，広告情報とともに顧客コードを併せて受信し、受信した顧客コードが自端末のものであるかを照合し、自端末の顧客コードであった場合に商品購入情報，広告情報を受信，記憶することを特徴とする。
【００１７】
本発明の第５のユーザ携帯端末は、本発明の第１〜第４のいずれかのユーザ携帯端末において、ユーザからの要求に応じて広告情報をスケジュール登録し通知日時になると報知する手段を、さらに有する。
【００１８】
本発明の第６のユーザ携帯端末は、本発明の第１〜第４のいずれかのユーザ携帯端末において、広告情報に含まれる商品の価格Ａと前記商品購入情報データベースから抽出した同一商品の価格Ｂとを比較し、価格Ａが価格Ｂ以下であった場合に広告情報をスケジュール登録し通知日時になると報知する手段を、さらに有する。
【００１９】
本発明の第１の広告情報取得・管理方法は、ユーザ携帯端末と、店舗端末と、店舗サーバとを用いた広告情報取得・管理方法であって、
前記ユーザ携帯端末が商品購入情報をデータベースに登録するステップと、前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が前記店舗サーバから受信した広告情報を前記ユーザ携帯端末に送信するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末がユーザからの要求に応じて広告情報をスケジュール登録し通知日時になると報知するステップとを有する。
【００２０】
本発明の第２の広告情報取得・管理方法は、ユーザ携帯端末と、店舗端末と、店舗サーバとを用いた広告情報取得・管理方法であって、
前記ユーザ携帯端末が商品購入情報をデータベースに登録するステップと、前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が前記店舗サーバから受信した広告情報を前記ユーザ携帯端末に送信するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末が広告情報に含まれる商品の価格Ａと前記データベースから抽出した同一商品の価格Ｂとを比較し、価格Ａが価格Ｂ以下であった場合に広告情報をスケジュール登録し通知日時になると報知するステップとを有する。
【００２１】
本発明の第３の広告情報取得・管理方法は、ユーザ携帯端末と、店舗端末と、店舗サーバとを用いた広告情報取得・管理方法であって、
前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し商品購入情報および広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が商品の精算処理を行い商品購入情報を生成するステップと、前記店舗サーバから広告情報を受信したときに、前記店舗端末が商品購入情報と広告情報を前記ユーザ携帯端末に送信するステップと、前記ユーザ携帯端末が受信した商品購入情報をデータベースに蓄積するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末がユーザからの要求に応じて広告情報をスケジュール登録し通知日時になると報知するステップとを有する。
【００２２】
本発明の第４の広告情報取得・管理方法は、ユーザ携帯端末と、店舗端末と、店舗サーバとを用いた広告情報取得・管理方法であって、
前記ユーザ携帯端末が前記店舗サーバに顧客コードを送信し通知希望商品情報を登録要求し、前記店舗サーバが顧客コード対応に通知希望商品情報を登録するステップと、前記ユーザ携帯端末が前記店舗端末に顧客コードを送信し商品購入情報および広告情報を要求するステップと、前記店舗端末が受信した顧客コードを前記店舗サーバに送信し広告情報を要求するステップと、前記店舗サーバが顧客コード対応に登録された通知希望商品情報を取得するステップと、前記店舗サーバが取得した通知希望商品情報に対応して予め登録されている広告情報を抽出し前記店舗端末に送信するステップと、前記店舗端末が商品の精算処理を行い商品購入情報を生成するステップと、前記店舗サーバから広告情報を受信したときに、前記店舗端末が商品購入情報と広告情報を前記ユーザ携帯端末に送信するステップと、前記ユーザ携帯端末が受信した商品購入情報をデータベースに蓄積するステップと、前記ユーザ携帯端末が広告情報に含まれる通知希望商品情報に対応し少なくとも価格情報を含む商品購入情報を前記データベースから抽出して広告情報とともに表示するステップと、前記ユーザ携帯端末が広告情報に含まれる商品の価格Ａと前記データベースから抽出した同一商品の価格Ｂとを比較し、価格Ａが価格Ｂ以下であった場合に広告情報をスケジュール登録し通知日時になると報知するステップとを有することを特徴とする広告情報取得・管理方法。
【００２３】
本発明の第１のプログラムは、商品購入情報をデータベースに登録する機能、第１の外部装置に顧客コードを送信し通知希望商品情報を登録要求する機能、第２の外部装置に顧客コードを送信し広告情報を要求する機能、前記第２の外部装置から受信した広告情報に含まれる通知希望商品情報に対応し、少なくとも価格情報を含む商品購入情報を前記データベースから抽出して広告情報とともに表示する機能、広告情報をスケジュール登録し通知日時になると報知する機能、をコンピュータに実現させる。
【００２４】
本発明の第２のプログラムは、第１の外部装置に顧客コードを送信し通知希望商品情報を登録要求する機能、第２の外部装置に顧客コードを送信し商品購入情報および広告情報を要求する機能、前記第２の外部装置から受信した商品購入情報をデータベースに蓄積する機能、前記第２の外部装置から受信した広告情報に含まれる通知希望商品情報に対応し、少なくとも価格情報を含む商品購入情報を前記データベースから抽出して広告情報とともに表示する機能、広告情報をスケジュール登録し通知日時になると報知する機能、をコンピュータに実現させる。
【発明の効果】
【００２５】
本発明は、店舗での精算時に商品購入情報や広告情報を近距離通信により店舗端末からユーザ携帯端末に取り込むようにした。このため、自分で店舗サイトにアクセスしたり店舗サイト内で希望する情報を探したりする手間が不要となるとともに、情報取得のための通信料金が発生しないという効果が得られる。さらに、来店して商品を購入した顧客にだけ特別な広告情報を提供するような店舗においては、特別な広告情報の取得ができるという効果が得られる。
【００２６】
また、本発明は、広告情報と過去の商品購入履歴情報とを連携させ、広告情報に含まれる商品情報と同じ商品の過去の購入価格を抽出して広告情報とともに表示するようにしたため、ユーザの利便性が向上するという効果が得られる。
【発明を実施するための最良の形態】
【００２７】
本発明の実施の形態について図面を参照して詳細に説明する。
【００２８】
図１は、本発明の第１の実施の形態の構成を示す図であり、ユーザ携帯端末１０と、店舗端末２０と、店舗サーバ３０と、ネットワーク１００と、ＬＡＮ(Ｌocal Ａrea Ｎetwork）２００とを備えている。インターネット等のネットワーク１００はユーザ携帯端末１０と店舗サーバ３０を接続し、ＬＡＮ２００は店舗端末２０と店舗サーバ３０を接続する。なお、店舗端末２０と店舗サーバ３０間は、ＬＡＮ２００の代わりにインターネット等のネットワーク１００を介して接続するようにしてもよい。
【００２９】
ユーザ携帯端末１０は、携帯電話機，ＰＨＳ（Personal Handyphone System），ＰＤＡ（Personal Digital Assistance）等の携帯情報端末である。このユーザ携帯端末１０は
、無線部１１と、アンテナ１１Ａと、近距離無線通信部１２と、近距離無線用アンテナ１２Ａと、操作部１３と、表示部１４と、スピーカ１５と、時計部１６と、記憶部１７と、制御部１８とを備えている。
【００３０】
無線部１１は図示しない基地局との間でアンテナ１１Ａを介して無線信号の送受信を行う通信装置であり、近距離無線通信部１２は近距離無線用アンテナ１２Ａを介して赤外線通信やブルートゥース等の近距離無線通信を行う機能を備えている。操作部１３はテンキー，機能キー，ポインティングデバイス等の入力装置であり、表示部１４はＬＣＤ(Liquid Crystal Display)等の表示装置である。スピーカ１５は音声やアラーム音を出力し、時計部１６はカレンダー情報や時刻情報を生成，出力する機能を備えている。
【００３１】
記憶部１７は読み出し，書き込み可能な記憶装置であり、顧客コード記憶部１７１と、商品購入情報蓄積部１７２と、広告情報記憶部１７３と、スケジュール登録部１７４とを含んでいる。顧客コード記憶部１７１には、ユーザ携帯端末１０の所有者であるユーザの顧客コードが予め記憶されている。ここで、顧客コードとは、顧客を一意に識別できる情報であり、例えば、ユーザ携帯端末１０の端末ＩＤや電話番号でもよいし、店舗の会員証番号や支払いに用いるクレジットカード番号等でもよい。商品購入情報蓄積部１７２には、過去に購入した商品の購入情報（商品名，商品カテゴリ，価格，利用日，利用店舗コード等）が購入履歴として蓄積されている。広告情報記憶部１７３には、店舗端末２０から近距離無線通信により受信した広告情報が格納される。ここで、広告情報とは、バーゲンセール情報等であり、販売日，商品名，商品カテゴリ（商品を分野別に分けたものであり、例えば、生鮮野菜，魚等），価格等を含んでいる。スケジュール登録部１７４は、スケジューラに登録された広告情報と通知期日，時刻情報を記憶している。
【００３２】
制御部１８は、ＣＰＵ（Central Processing Unit）等の制御装置であり、プログラムにより動作を制御される。この制御部１８は、
・顧客コード記憶部１７１から顧客コードを読み出して店舗端末２０に送信する機能と、
・店舗端末２０から商品購入情報を受信したときに商品購入情報蓄積部１７２に蓄積する機能と、
・店舗端末２０から広告情報を受信したときに、広告情報記憶部１７３に格納するとともに、広告情報に含まれる商品カテゴリと同じ商品カテゴリの商品情報（商品名，価格，利用日等）を商品購入情報蓄積部１７２から抽出する機能と、
・広告情報のスケジューラ登録をユーザから要求されたときに、スケジュール登録部１７４に登録する機能と、
・スケジュール登録部１７４に記憶された通知日時になったときに表示部１４やスピーカ１５を介してユーザに報知する機能と、
を備えている。
【００３３】
店舗端末２０は、例えば、ＰＯＳ（Point Of Sales）レジスタのような精算装置であり、商品を販売する店舗に設置されている。この店舗端末２０は、
・ユーザ携帯端末１０から受信した顧客コードに店舗コードを付して店舗サーバ３０に送信する機能と、
・商品に付されたバーコード等を読み取って商品の精算処理（精算金額の算出，表示，レシート印字等）を行う機能と、
・商品購入情報と店舗サーバ３０から受信した広告情報を近距離無線通信でユーザ携帯端末１０に送信する機能とを備えている。
【００３４】
店舗サーバ３０は、ワークステーション・サーバ等の情報処理装置であり、制御部３１と、記憶部３２とを備えている。制御部３１はＣＰＵ等の制御装置であり、プログラムにより動作を制御される。この制御部３１は、
・店舗端末２０から受信した顧客コード，店舗コードを基に、該当ユーザの通知希望商品カテゴリを通知希望商品データベース３２１から抽出する機能と、
・抽出された通知希望商品カテゴリに対応する広告情報を広告情報データベース３２２から抽出しユーザ携帯端末１０に送信する機能とを備えている。
記憶部３２は読み出し，書き込み可能な記憶装置であり、通知希望商品データベース３２１と、広告情報データベース３２２とを含んでいる。通知希望商品データベース３２１には、図２（通知希望商品データベース３２１に格納されるデータの一例を示す図）に示すように、顧客コード，店舗コード，商品カテゴリが対応付けられて登録されている。広告情報データベース３２２には、図３（広告情報データベース３２２に格納されるデータの一例を示す図）に示すように、商品の販売を行う日付け，商品名，商品カテゴリ，価格等の広告情報が店舗コード対応に予め登録されている。
【００３５】
次に、本発明の第１の実施の形態の動作について図１〜図８を参照して説明する。なお、図４は通知希望商品の登録画面の一例を示す図であり、図５は商品購入情報の一例を示す図である。図６は配信広告情報の一例を示す図であり、図７は広告情報表示・スケジューラ登録画面の一例を示す図、図８は本発明の第１の実施の形態の動作を示すフローチャートである。
【００３６】
まず、図８のフローチャートによる動作を説明する前に、事前準備（通知希望商品の登録）について説明する。
【００３７】
ユーザはユーザ携帯端末１０から店舗サーバ３０にアクセスし、通知希望商品の登録メニューを選択する。これにより、店舗サーバ３０の制御部３１は、図４に示す通知希望商品登録画面情報をユーザ携帯端末１０に送信する。ユーザは、顧客コード，店舗コード，通知希望の商品カテゴリを画面上で操作部１３から入力または選択する。なお、店舗コードについては、例えば、「○○店」等の店舗名を表示させ、ユーザが店舗を選択すると予め定められたコードが設定されるようにしておけばよい。商品カテゴリについては、図４の画面上で通知を希望するカテゴリを全て選択しておき、実行欄で通知を行うか否かを決定する。例えば、通知を希望するカテゴリであるが、現在は購入したばかりで当面の間は通知不要というような場合は、実行欄のチェックマーク（レ点）を削除しておけば一時的に通知を止めることができる。ユーザの入力，選択が終了し図示しない画面上の登録ボタンが押下されると、制御部３１は入力，選択された情報を通知希望商品データベース３２１に登録する（図２参照）。以上により、店舗サーバ３０への通知希望商品登録が終了する。
【００３８】
以上の事前準備が終了した後の店舗における商品精算時の動作について説明する。
【００３９】
店舗において商品を購入しようとするユーザは、商品を店舗端末２０が設置された精算場所に持って行き精算処理を受ける。このとき、ユーザはユーザ携帯端末１０の商品購入情報・広告情報取得ソフトを起動し（ステップＡ１）、操作部１３から顧客コード送信メニューを選択する。ユーザ携帯端末１０の制御部１８は、顧客コード記憶部１７１に記憶された顧客コードを読み出し、近距離無線通信部１２を介して店舗端末２０に送信する（ステップＡ２）。顧客コードを受信した店舗端末２０は（ステップＡ３）、図示しない記憶部に予め格納された店舗コードを読み出し、顧客コードと店舗コードを店舗サーバ３０に送信し広告情報を要求する（ステップＡ４）。
【００４０】
店舗サーバ３０の制御部３１は、通知希望商品データベース３２１を参照し、受信した顧客コード，店舗コードに対応して登録されている商品カテゴリを抽出する。例えば、図２を参照すると、顧客コード「３５２１０」，店舗コード「１２３４５」の通知希望商品カテゴリは「ソース」と「豚肉類」が指定されているため、「ソース」と「豚肉類」を抽出する（ステップＡ５→ステップＡ６）。次に、制御部３１は広告情報データベース３２２を参照し、受信した店舗コードと抽出した商品カテゴリに対応して登録されている広告情報を抽出する。例えば、図３に示す広告情報データベース３２２の中から該当するカテゴリ（「ソース」と「豚肉」）の商品を、顧客コード「Ｎｏ．３５２１０」に提供する広告情報として抽出する（図６参照）。そして、制御部３１は抽出した広告情報を店舗端末２０に送信する（ステップＡ７→ステップＡ８）。
【００４１】
ステップＡ４に続き、店舗端末２０は、ユーザが持参した商品に付されたバーコード等を読み取り、精算金額を算出し、商品購入情報を生成する。図５に商品購入情報の一例を示す。商品購入情報は、利用日，商品名，商品カテゴリ，価格を少なくとも含んでいる（ステップＡ９）。店舗端末２０は、店舗サーバ３０から広告情報を受信すると（ステップＡ１０）、商品購入情報とともに近距離無線通信によりユーザ携帯端末１０に送信する（ステップＡ１１）。
【００４２】
ユーザ携帯端末１０の制御部１８は、近距離無線通信部１２を介して商品購入情報と広告情報を受信する（ステップＡ１２）。そして、制御部１８は受信した商品購入情報を商品購入情報蓄積部１７２に購入履歴情報として登録，蓄積するとともに、広告情報を広告情報記憶部１７３に格納する。次に、制御部１８は商品購入情報蓄積部１７２を参照し、受信した広告情報に含まれる商品カテゴリと一致する商品購入情報を抽出する。そして、制御部１８は、図７に示すように、広告情報と抽出した商品購入情報（利用日，商品名，価格等）を表示部１４に表示する。なお、同じ商品カテゴリの商品購入情報が商品購入情報蓄積部１７２に登録されていなかった場合は、制御部１８は受信した広告情報だけを表示部１４に表示する。以上により、ユーザは、今回受信した広告情報に含まれる商品の価格と、過去に購入した同じカテゴリの商品の購入価格を比較することができる（ステップＡ１３）。
【００４３】
次に、ユーザは図７に示す広告情報表示・スケジューラ登録画面において、スケジューラ登録欄を操作部１３から選択することにより、スケジューラ登録したい広告情報を登録要求する。例えば、図７においては、「黒豚肩ロース」は過去の購入価格より安いためスケジューラ登録要求し、「お好みソース」は過去の購入価格より高いため登録要求しないことを示している。この判断材料は必ずしも価格だけではなく、ユーザの全般的な判断に委ねられる。なお、スケジューラは、スケジュールを管理する既知のソフトウェアであり、設定された通知日時になると表示部１４やスピーカ１５を介して通知する機能を備えている。また、スケジューラは広告表示のためだけに用いられるものではなく、その他ユーザの外出予定や用事等の登録・通知にも併せて用いられるものである。但し好適には、スケジューラは広告情報の報知専用の報知設定（アラーム音やアイコン等）を持っており、登録を選択された広告情報は、この報知設定が自動的に適用されるように構成される。制御部１８は、スケジューラ登録要求を受けて該当広告情報をスケジュール登録部１７４に登録する。広告情報の通知日時については、例えば、販売日の前日の△△時と設定する（ステップＡ１４→ステップＡ１５）。
【００４４】
スケジューラはユーザ携帯端末１０において常時動作しており、制御部１８は時計部１６を参照し設定された日時になると、表示部１４やスピーカ１５等の報知手段を用いて広告情報をユーザに報知する（ステップＡ１６→ステップＡ１７）。
【００４５】
以上説明したように、本実施の形態においては、店舗での精算時に商品購入情報や広告情報を近距離無線通信により店舗端末２０からユーザ携帯端末１０に取り込むようにした。このため、自分で店舗サイトにアクセスしたり店舗サイト内で希望する情報を探したりする手間が不要となるとともに、情報取得のための通信料金が発生しないという効果が得られる。さらに、来店して商品を購入した顧客にだけ特別な広告情報を提供するような店舗においては、特別な広告情報の取得ができるという効果が得られる。
【００４６】
また、本実施の形態においては、取得した広告情報をスケジューラに登録しスケジュール管理するようにしたため、取得した広告情報の販売日等を忘れて買い忘れることを防止できるという効果が得られる。
【００４７】
また、本実施の形態においては、広告情報と過去の商品購入履歴情報とを連携させ、広告情報に含まれる商品カテゴリと同じ商品の過去の購入価格を抽出して広告情報とともに表示するようにしたため、ユーザの利便性が向上するという効果が得られる。
【００４８】
次に、本発明の第２の実施の形態について説明する。
上述した第１の実施の形態においては、ユーザ携帯端末１０において広告情報をスケジューラに登録するか否かをユーザの判断により行うとして説明した。これに対し、本実施の形態は、広告情報をスケジューラに登録するか否かをユーザ携帯端末１０自体が判断するようにした点を特徴としている。なお、本実施の形態の構成は、図１に示す第１の実施の形態と同じである。
【００４９】
次に、本実施の形態の動作について図８および図９を参照して説明する。図９は、本発明の第２の実施の形態の動作を示すフローチャートである。
【００５０】
図８および図９を比較すると、図８のステップＡ１４が図９のステップＢ１４，Ｂ１５に置き換わった点のみ異なっており、その他の部分は同じである。以下に、第１の実施の形態と異なるステップＢ１４，Ｂ１５の動作について説明する。
【００５１】
ユーザ携帯端末１０の制御部１８は、図７に示す広告情報表示・スケジューラ登録画面を表示後、広告情報に含まれる商品の価格と同一商品の過去の購入価格とを比較し（ステップＢ１４）、広告情報の価格が過去の購入価格以下であるかを判別する。このとき、過去の購入価格としては、最も安い価格を選択して用いてもよいし、平均価格を算出して用いてもよい。そして、広告情報の価格が過去の購入価格以下であった場合に（ステップＢ１５）、ステップＢ１６において制御部１８は該当広告情報をスケジュール登録部１７４に登録する。
【００５２】
上述したように、本実施の形態においては、商品の価格比較をユーザ携帯端末１０が自動で行うようにしている。このため、商品を特定する必要があることから、ユーザが通知希望商品を店舗サーバ３０に事前登録する場合に、商品カテゴリではなく商品名を指定して登録するものとする。また、図９においても、第１の実施の形態の動作（図８）で説明した商品カテゴリを商品名に読み替えるものとする。
【００５３】
本実施の形態においては、広告情報の価格が過去の購入価格以下であるかをユーザ携帯端末１０が判断し、広告情報をスケジューラに自動登録するようにしたため、ユーザが登録要求を行わなくても必要な広告情報を登録できるという効果がさらに得られる。
【００５４】
次に、本発明の応用例，変形例等について説明する。
【００５５】
・上述した第１または第２の実施の形態においては、商品購入情報と広告情報の両方を店舗端末２０がユーザ携帯端末１０に送信するとして説明したが、広告情報のみを送信するようにしてもよい。この場合は、ユーザ携帯端末１０の商品購入情報蓄積部１７２にはユーザが別途商品購入情報を登録するものとする。この場合の登録方法は限定されず、ユーザの入力操作によるものでもよいし、ユーザ携帯端末１０から店舗サーバ３０にアクセスしてダウンロードしてもよいし、携帯記憶媒体に格納した商品購入情報を読み込むようにしてもよい。
【００５６】
・上述した第１の実施の形態（図８）のステップＡ１１または第２の実施の形態（図９）のステップＢ１１において、店舗端末２０が商品購入情報と広告情報をユーザ携帯端末１０に送信するとして説明した。このとき、店舗端末２０は、図８のステップＡ３または図９のステップＢ３で受信した顧客コードを商品購入情報，広告情報とともにユーザ携帯端末１０に送信するようにしてもよい。この場合、ユーザ携帯端末１０の制御部１８は受信した顧客コードが自端末のものであるかを顧客コード記憶部１７１を参照して照合する。照合の結果、自端末の顧客コードであった場合に、制御部１８は受信した商品購入情報，広告情報をそれぞれ記憶部１７に格納し、商品購入情報蓄積部１７２を参照して広告情報に含まれる商品カテゴリと一致する商品購入情報を抽出する。自端末の顧客コードでなかった場合は、制御部１８は受信した情報を破棄して処理を終了する。これにより、ユーザ携帯端末１０を所持した複数のユーザが店舗端末２０との近距離無線通信範囲に存在する場合でも、各ユーザは自分向けの情報だけを自動的に判断し必要な情報を取捨選択できるという効果がさらに得られる。
【００５７】
・上述した第１の実施の形態においては、通知希望商品情報として商品カテゴリを登録しているが、商品カテゴリの代わりに商品名を指定して登録するようにしてもよい。
【００５８】
・上述した第１または第２の実施の形態においては、ユーザ携帯端末１０，店舗端末２０間の接続は近距離無線通信により行うとして説明したが、ＵＳＢケーブルを含む近距離有線通信により行うようにしてもよい。なお、これら近距離無線通信と近距離有線通信を含めて近距離通信と定義する。すなわち、ユーザ携帯端末１０，店舗端末２０間は近距離無線通信，近距離有線通信のいずれかの近距離通信により接続される。
【００５９】
・上述した第１の実施の形態においては、広告情報をスケジューラに登録するか否かをユーザの判断により行い、第２の実施の形態においては、ユーザ携帯端末１０自体が判断するとして説明した。上述した第１または第２の実施の形態のいずれの形態で広告情報のスケジューラ登録を行うかを、ユーザ携帯端末１０に指示するようにしてもよい。この指示は、ユーザが予めユーザ携帯端末１０に設定しておき、ユーザ携帯端末１０の制御部１８は設定された形態情報に応じた制御を行う。
【図面の簡単な説明】
【００６０】
【図１】本発明の第１の実施の形態の構成を示す図である。
【図２】通知希望商品データベース３２１に格納されるデータの一例を示す図である。
【図３】広告情報データベース３２２に格納されるデータの一例を示す図である。
【図４】通知希望商品の登録画面の一例を示す図である。
【図５】商品購入情報の一例を示す図である。
【図６】配信広告情報の一例を示す図である。
【図７】広告情報表示・スケジューラ登録画面の一例を示す図である。
【図８】本発明の第１の実施の形態の動作を示すフローチャートである。
【図９】本発明の第２の実施の形態の動作を示すフローチャートである。
【符号の説明】
【００６１】
１０    ユーザ携帯端末
１１    無線部
１１Ａ    アンテナ
１２    近距離無線通信部
１２Ａ    近距離無線用アンテナ
１３    操作部
１４    表示部
１５    スピーカ
１６    時計部
１７    記憶部
１７１    顧客コード記憶部
１７２    商品購入情報蓄積部
１７３    広告情報記憶部
１７４    スケジュール登録部
１８    制御部
２０    店舗端末
３０    店舗サーバ
３１    制御部
３２    記憶部
３２１    通知希望商品データベース
３２２    広告情報データベース
１００    ネットワーク
２００    ＬＡＮ
【図１】
2007115128.tif 000003
【図２】
2007115128.tif 000004
【図３】
2007115128.tif 000005
【図４】
2007115128.tif 000006
【図５】
2007115128.tif 000007
【図６】
2007115128.tif 000008
【図７】
2007115128.tif 000009
【図８】
2007115128.tif 000010
【図９】
2007115128.tif 000011